(57)【要約】【課題】通信講座の受講者が紙媒体の解答冊子に記入した解答に合わせた解説を受講者に提供できるシステムを提供する。【解決手段】端末装置２は，解答記入後の解答欄４０を撮影した画像に含まれる問題識別番号４１と解答欄４０の画像を画像認識し，問題識別番号４１と解答欄４０の画像を解説動画配信装置３へ送信した後，解説動画配信装置３が配信した解説動画を再生する。端末装置２から問題識別番号４１と解答欄４０の画像を受信すると，解答欄４０の画像を画像認識することで解答データを取得し，解答類型ＤＢ３２を参照して，解答欄４０に記入された解答に対応する解答類型を特定した後，解説動画ＤＢ３３を参照し，端末装置２から受信した問題識別番号４１に対応する解説動画の中から，解答解析部３０が特定した解答類型に対応する解説動画を端末装置２へ配信する。【選択図】図１
2015225094.tif 000002
【特許請求の範囲】
【請求項１】
問題を識別する問題識別番号が付加された解答欄を印刷した解答冊子と，通信講座の受講者が所持する端末装置と，前記端末装置とネットワーク接続している解説動画配信装置とから少なくとも構成したシステムであって，
前記端末装置は，解答記入後の前記解答欄の撮影をユーザに指示し，ユーザが撮影した画像を取得する画像撮影部と，前記画像撮影部が取得した画像に含まれる前記問題識別番号と前記解答欄の画像を画像認識し，前記問題識別番号と前記解答欄の画像を解説動画配信装置へ送信する解答送信部と，前記解説動画配信装置が配信した解説動画を再生する解説動画再生部を備え，
前記解説動画配信装置は，前記問題識別番号に関連付けて，前記問題識別番号に対応する問題に設定された解答類型を記憶する解答類型データベースと，前記問題識別番号に関連付けて，解答類型ごとの解説動画を記憶している解説動画データベースと，前記端末装置から前記問題識別番号と前記解答欄の画像を受信すると，前記解答欄の画像を画像認識することで解答データを取得した後，前記解答類型データベースを参照し，前記問題識別番号に対応する問題に設定された解答類型の中から前記解答データに対応する解答類型を特定する解答解析部と，前記解説動画データベースを参照し，前記問題識別番号に対応する解説動画の中から，前記解答解析部が特定した解答類型に対応する解説動画を前記端末装置へ配信する解説動画配信部を備え
たことを特徴とする解説動画配信システム。
【発明の詳細な説明】
【技術分野】
【０００１】
本発明は，紙媒体の解答冊子に記入された解答に応じた解説動画を配信する技術に関する。
【背景技術】
【０００２】
受験などの通信講座では，複数の問題を印刷した紙媒体の問題冊子と，問題の解説を印刷した紙媒体の解説冊子を通信講座の受講者に郵送し，通信講座の受講者は，問題冊子に印刷されている問題を解いた後，解説冊子を参照して，正解または不正解の判断や誤答の原因を確認する。
【０００３】
問題冊子に印刷する問題のレベルは，受講者のレベルに合わせて変更できることが望まく，受講者によって問題冊子の内容を変更できるように，現在では，オンデマンド印刷で問題冊子を印刷することが一般的になっている。解説冊子についても，受講者の解答に合わせた内容の解説冊子をオンデマンド印刷にて印刷したいが，解答は受講者によって様々であるため，受講者の解答に合わせた内容の解説冊子をオンデマンド印刷にて印刷することは難しい。
【０００４】
ネットワークを利用するｅラーニングの分野では，受講者の解答に合わせた添削データを受講者に提供するシステムがすでに開示されている。例えば，特許文献１では，受講者の端末からサーバへ解答を送信し，添削者が作成した添削文書を添削データとしてサーバから受講者の端末へ送信する発明が開示されている。また，特許文献２では，受講者に送信した問題に設定されている添削コメントの中から，受講者から得られた解答に基づく添削コメントを選択できるようにした発明が開示されている。
【先行技術文献】
【特許文献】
【０００５】
【特許文献１】特開２００１―３０５９４３号公報
【特許文献２】特開２００７―２６４１１７号公報
【発明の概要】
【発明が解決しようとする課題】
【０００６】
しかしながら，従来の技術では，問題と問題の解答の送受信にネットワークを利用する発明で，紙媒体の解答冊子に解答を記入する場合，受講者の解答に合わせた解説を通信講座の受講者に提供することはできなかった。
【０００７】
そこで，本発明は，通信講座の受講者が紙媒体の解答冊子に記入した解答に合わせた解説を受講者に提供できるシステムを提供することを目的とする。
【課題を解決するための手段】
【０００８】
上述した課題を解決する本発明は，問題を識別する問題識別番号が付加された解答欄を印刷した解答冊子と，通信講座の受講者が所持する端末装置と，前記端末装置とネットワーク接続している解説動画配信装置とから少なくとも構成したシステムである。
前記端末装置は，解答記入後の前記解答欄の画像を撮影できる機能として，解答記入後の前記解答欄の撮影をユーザに指示し，ユーザが撮影した画像を取得する画像撮影部を備え，解答を記入した前記解答欄に対応する前記問題識別番号と前記解答欄の画像を前記解説動画配信装置へ送信する機能として，前記画像撮影部が取得した画像に含まれる前記問題識別番号と前記解答欄の画像を画像認識し，前記問題識別番号と前記解答欄の画像を解説動画配信装置へ送信する解答送信部を備え，前記解説動画配信装置が配信した解説動画を再生する機能として，前記解説動画配信装置が配信した解説動画を再生する解説動画再生部を備える。
また， 前記解説動画配信装置は，データベースとして，前記問題識別番号に関連付けて，前記問題識別番号に対応する問題に設定された解答類型を記憶する解答類型データベースと，前記問題識別番号に関連付けて，解答類型ごとの解説動画を記憶している解説動画データベースを備え，前記解答欄に記入された解答に対応する解答類型を特定する機能として，前記端末装置から前記問題識別番号と前記解答欄の画像を受信すると，前記解答欄の画像を画像認識することで解答データを取得した後，前記解答類型データベースを参照し，前記問題識別番号に対応する問題に設定された解答類型の中から前記解答データに対応する解答類型を特定する解答解析部を備え，前記解答欄に記入された解答の解答類型に対応する解説動画を配信する機能として，前記解説動画データベースを参照し，前記問題識別番号に対応する解説動画の中から，前記解答解析部が特定した解答類型に対応する解説動画を前記端末装置へ配信する解説動画配信部を備える。
【発明の効果】
【０００９】
このように，上述した本発明によれば，通信講座の受講者が紙媒体の解答冊子に記入した解答に合わせた解説をこの受講者に提供できるシステムを提供することを目的とする。
【図面の簡単な説明】
【００１０】
【図１】本実施形態に係る解説動画配信システムの構成を説明する図。
【図２】本実施形態に係る解答冊子を説明する図。
【図３】本実施形態に係る端末装置を説明する図。
【図４】本実施形態に係る解説動画配信装置を説明する図。
【図５】解説動画配信システムの動作を説明する図。
【発明を実施するための形態】
【００１１】
ここから，本発明の好適な実施形態を記載する。なお，以下の記載は本発明の範囲を束縛するものでなく，理解を助けるために記述するものである。
【００１２】
図１は，本実施形態に係る解説動画配信システム１の構成を説明する図，図２は，本実施形態に係る解答冊子４を説明する図，図３は，本実施形態に係る端末装置２を説明する図，図４は，本実施形態に係る解説動画配信装置３を説明する図，そして，図５は，解説動画配信システム１の動作を説明する図である。
【００１３】
図１に図示したように，図１は，本実施形態に係る解説動画配信システム１は，通信講座の受講者に配送される紙媒体の解答冊子４と，受講者が所持する端末装置２と，端末装置２とネットワーク５を介して接続する解説動画配信装置３とから少なくとも構成される。
【００１４】
図２を参照しながら，本実施形態に係る解答冊子４について説明する。本実施形態に係る解答冊子４は，オンデマンド印刷によって印刷される紙媒体の冊子である。図２に図示したように，解答冊子４には，問題を説明する問題文４ａや図に加え，問題を識別する問題識別番号４１と，受講者が解答を手書きで記入する解答欄４０が問題ごとに印刷される。
【００１５】
図２では，ＯＣＲ文字を用いて問題文４ａの下に問題識別番号４１そのものを印刷しているが，画像認識によって問題識別番号４１を特定できれば，問題識別番号４１の印刷形態は任意でよく，例えば，問題識別番号４１をエンコードしたバーコードを解答冊子４に印刷してもよい。また，図２では，問題識別番号４１の下に四角形状の解答欄４０を印刷している。
【００１６】
次に，図３を参照しながら，本実施形態に係る端末装置２について説明する。端末装置２とは，撮影機能を有する汎用的なコンピュータ機器を利用して実現される装置で，デジタルカメラ付きのスマートフォンやタブレット，または，デジタルカメラを接続したパーソナルコンピュータを端末装置２として利用できる。
【００１７】
図３に図示したように，本実施形態に係る端末装置２は，端末装置２上で動作するコンピュータプログラムで実現される機能として，解答記入後の解答欄４０の撮影を受講者に指示し，受講者が撮影した画像を取得する画像撮影部２０と，画像撮影部２０が取得した画像に含まれる問題識別番号４１と解答欄４０の画像を画像認識し，問題識別番号４１と解答欄４０の画像を解説動画配信装置３へ送信する解答送信部２１と，解説動画配信装置３が配信した解説動画を再生する解説動画再生部２２を備える。
【００１８】
端末装置２の画像撮影部２０は，端末装置２と接続しているデジタルカメラが撮影している画像を端末装置２のディスプレイ２ａに表示し，受講者が画像を撮影する操作を行うと，この時の画像をメモリに記憶する処理を実行する。
【００１９】
端末装置２の解答送信部２１は，画像撮影部２０がメモリに記憶した画像に含まれる問題識別番号４１と解答欄４０の画像を画像認識し，問題識別番号４１と解答欄４０の画像を解説動画配信装置３へ送信する処理を実行する。端末装置２の解答送信部２１は，問題識別番号４１の特徴を利用して問題識別番号４１を画像認識する。図２では，問題識別番号４１をＯＣＲ文字で印刷しているため，端末装置２の解答送信部２１は，画像撮影部２０がメモリに記憶した画像に含まれるＯＣＲ文字を文字認識することで問題識別番号４１を抽出する。また，端末装置２の解答送信部２１は，解答欄４０の特徴を利用して解答欄４０の画像を画像認識する。図２では，四角形状の解答欄４０が問題識別番号４１の下に印刷されているため，端末装置２の解答送信部２１は，問題識別番号４１の下にある四角形状の図形を画像認識することで解答欄４０の画像を抽出する。
【００２０】
端末装置２の解説動画再生部２２は，解説動画配信装置３から配信された解説動画をデコードし，デコードした解説動画を端末装置２のディスプレイ２ａに表示する処理を実行する。
【００２１】
次に，図３を参照しながら，本実施形態に係る解説動画配信装置３について説明する。解説動画配信装置３とは，汎用的なサーバを利用して実現される装置で，データベース（DataBase）として，問題識別番号４１に関連付けて，問題識別番号４１に対応する問題の解答類型に係るデータを記憶する解答類型ＤＢ３２と，問題識別番号４１に関連付けて，解答類型ごとの解説動画を記憶している解説動画ＤＢ３３と，端末装置２から受信した解答欄４０の画像から得られた解答類型を少なくとも記憶する解答ＤＢ３４を備え，更に，コンピュータプログラムで実現される機能として，端末装置２から問題識別番号４１と解答欄４０の画像を受信すると，端末装置２から送信された解答欄４０の画像を画像認識することで解答データを取得し，解答類型ＤＢ３２を参照して，解答欄４０に記入された解答に対応する解答類型を特定する解答解析部３０と，解説動画ＤＢ３３を参照し，端末装置２から受信した問題識別番号４１に対応する解説動画の中から，解答解析部３０が特定した解答類型に対応する解説動画を端末装置２へ配信する解説動画配信部３１を備える。
【００２２】
解説動画配信装置３の解答類型ＤＢ３２は，問題の解答類型に係るデータとして，問題識別番号４１に関連付けて解答類型データとその類型番号を記憶したＤＢである。冊子に印刷する問題が決定すると，この問題から想定できる典型的な解答が用意され,典型的な解答には正解と幾つかの典型的な誤りが含まれる。それぞれの典型的な解答には，解答類型を定義する解答類型データが用意され，解答類型データにはそれぞれを識別するための類型番号が割り振られる。
【００２３】
解答類型データの具体的な内容は，問題の種別によって異なる。例えば，問題が選択問題の場合，選択問題で用意された選択肢を解答類型データとして利用できる。また，英単語を記入する問題の場合，正解の単語に加え，典型的な誤りである単語（例えば，間違えやすい単語や接尾辞の誤り）を解答類型データとして利用できる。更に，数式の記述を必要とする問題の場合，例えば，模範解答に含まれるそれぞれの数式を解答類型データとして利用できる。
【００２４】
解説動画配信装置３の解説動画ＤＢ３３は，問題識別番号４１に関連づけて，類型番号に対応する解説動画を記憶する。また，動画配信装置の解答ＤＢ３４は，問題識別番号４１に関連づけて，解答解析部３０が特定した解答類型の類型番号を記憶する。なお，解説動画配信装置３が解答ＤＢ３４を備えるのは，類型番号を問題識別番号ごとに集計することで、誤答の傾向を把握できるようにし、問題の作成や解説動画の作成に活かせるようにするためである。
【００２５】
解説動画配信装置３の解答解析部３０は，端末装置２から問題識別番号４１と解答欄４０の画像を受信すると，解答欄４０の画像を画像認識することで，解答欄４０に記入された解答に対応する解答データを取得した後，解答類型ＤＢ３２を参照し，問題識別番号４１に関付けられている解答類型データと解答データを照合判定することで，解答欄に記入された解答に対応する類型番号を特定し，問題識別番号４１と類型番号を解説動画配信部３１に引き渡す処理を実行する。
【００２６】
解説動画配信装置３の解答解析部３０は，解答類型データと照合可能な解答データが得られるように，様々な画像認識エンジンを有する。この画像認識エンジンには，画像に含まれる手書き文字を認識する手書き文字認識エンジン，画像に含まれる数式を認識する数式認識エンジン，および，画像に含まれる図形を認識する図形認識エンジンが含まれる。
【００２７】
解説動画配信装置３の解説動画配信部３１は，問題識別番号４１と類型番号が引き渡されると，解説動画ＤＢ３３を参照し，問題識別番号４１と類型番号を用いて端末装置２へ配信する解説動画を特定し，特定した解説動画を端末装置２へ配信する。
【００２８】
ここから，図５を参照して，解説動画配信システム１の動作について説明する。解答冊子４に印刷された解答欄４０に解答を記入した後，問題の解説動画を端末装置２上で再生させる操作を受講者が実施すると，まず，端末装置２の画像撮影部２０が起動し，端末装置２の画像撮影部２０は，端末装置２と接続しているデジタルカメラが撮影している画像を端末装置２のディスプレイ２ａに表示した後，問題識別番号４１が付加された解答欄４０の撮影を受講者に指示し，受講者が画像を撮影する操作を行うと，この時の画像をメモリに記憶する（Ｓ１）。
【００２９】
受講者が撮影した画像をメモリに記憶すると，端末装置２の解答送信部２１が起動し，端末装置２の解答送信部２１は，画像撮影部２０がメモリに記憶した画像に含まれる問題識別番号４１と解答欄４０の画像を画像認識し（Ｓ２），問題識別番号４１と解答欄４０の画像を解説動画配信装置３へ送信する（Ｓ３）。
【００３０】
解説動画配信装置３の解答解析部３０は，端末装置２から問題識別番号４１と解答欄４０の画像を受信すると，解答解析部３０が有する画像認識エンジンを用いて，解答欄４０の画像を画像認識することで，解答欄４０に記入された解答に対応する解答データを取得した後（Ｓ４），解答類型ＤＢ３２を参照し，問題識別番号４１に関付けられている解答類型データと解答データを照合判定することで類型番号を特定する（Ｓ５）。
【００３１】
解説動画配信装置３の解答解析部３０は，類型番号を特定すると，端末装置２から受信した問題識別番号４１に関連付けた状態で類型番号を解答ＤＢ３４に記憶させた後（Ｓ６），端末装置２から受信した問題識別番号４１と類型番号を動画配信部に引き渡す。
【００３２】
解説動画配信装置３の解説動画配信部３１は，問題識別番号４１と類型番号が引き渡されると，解説動画ＤＢ３３を参照し，問題識別番号４１と類型番号を用いて端末装置２へ配信する解説動画を特定し，特定した解説動画を端末装置２へ配信し（Ｓ７），端末装置２の解説動画再生部２２は，解説動画配信装置３から配信された解説動画を端末装置２のディスプレイ２ａに再生して，この手順は終了する。
【符号の説明】
【００３３】
１    解説動画配信システム
２    端末装置
２０  画像撮影部
２１  解答送信部
２２  解説動画再生部
３    解説動画配信装置
３０  解答解析部
３１  解説動画配信部
３２  解答類型ＤＢ
３３  解説動画ＤＢ
３４  解答ＤＢ
４    解答冊子
４０  解答欄
４１  問題識別番号
【図１】
2015225094.tif 000003
【図２】
2015225094.tif 000004
【図３】
2015225094.tif 000005
【図４】
2015225094.tif 000006
【図５】
2015225094.tif 000007